(57)【要約】【課題】    中空導体（３）と導体棒（２）および−部に導体コイル（５）を組み合わせて、簡単な構成で、従来のダイポ−ルアンテナよりも無指向性特性、指向性特性および送受信特性が向上し、給電インピ−ダンスの低下を最小にし、アンテナの小型化が可能となり、ＶＨＦ、広帯域の多様なアンテナを適材適所それぞれの役割を果たすアンテナを提供する。【解決手段】    中空導体（３）と導体棒（２）および一部に導体コイル（５）を組み合わせることにより、中空導体折り返しアンテナ（図２）、中空導体折り返しＵ形アンテナ（図３）、中空導体折り返し無指向性アンテナ（図４）、中空導体折り返し八木アンテナ（図５）、中空導体折り返しヘリカルアンテナ（図６）、中空導体折り返し多周波アンテナ（図７）、多種類のアンテナの中から通信の状況に適したアンテナを選定することを特徴とする。【選択図】図２
2010154503.tif 000002
【特許請求の範囲】
【請求項１】
導体棒（２）を中空導体（３）の中に挿入し、電気的接続部（４）に互いに固定し、構成したことを特徴とする中空導体折り返しアンテナ。
【請求項２】
中空導体折り返しアンテナ（図２）の導体棒（２）の一部をＵ形に曲げ、構成したことを特徴とする中空導体折り返しＵ形アンテナ。
【請求項３】
中空導体折り返しアンテナ（図２）を垂直にし、上部のアンテナを１／４波長の放射器（ラジエタ−）として設け、下部の中空導体折り返しアンテナを１／４波長の鏡像側放射器（ラジアル）として、アンテナ基部に３〜４基を設けて構成したことを特徴とする中空導体折り返し無指向性アンテナ。
【請求項４】
中空導体折り返しアンテナ（図２）を放射器として設け、右側に給電しない中空導体折り返しアンテナを１基または、１基以上の導波器として設け、左側に給電しない中空導体折り返しアンテナを１基または、１基以上の反射器とし設けて構成したことを特徴とする中空導体折り返し八木アンテナ。
【請求項５】
中空導体折り返しアンテナ（図２）のアンテナ基部に外部端子（１０１）と（１０２）を設け、導体コイル（５）を（１０１）に電気的に接続し、導体棒（２）を（１０２）に電気的に接続をし、構成したことを特徴とする中空導体折り返しヘリカルアンテナ。
【請求項６】
中空導体折り返しアンテナ（図２）のアンテナ基部に外部端子（１０１）と（１０２）を設け、中空導体折り返しＵ形アンテナ（図３）を導体線（６）により、（１０１）に電気的に接続し、角度を水平または、垂直に変えることを特徴とする中空導体折り返し多周波アンテナ。
【発明の詳細な説明】
【技術分野】
【０００１】  本発明は中空導体と導体棒および、導体コイルを組み合わせ、新たな改良発明や関連発明を生み出すための中空導体折り返しアンテナに関するものである。
【背景の技術】
【０００２】  従来の折り返しアンテナは、２本の導体棒を並列に接近して、外側の左右の先端部を電気的に接続し、導体棒の一つを中央で給電、また、導体棒に導体コイルを取り付けたものがある（例えば、特許文献１を参照。）そして、導体棒の一部を折り返した、アンテナがある（例えば、特許文献２を参照。）また、誘電体で絶縁された、一対の同軸ケイブルの外部導体および内部導体を、それぞれ折り返したアンテナがある（例えば、実用新案文献１参照。）以下、３例である。
【特許文献１】  特開平２００５−１３０１１７号広報
【特許文献２】  特開平２００６−３３０６８号広報
【実用新案文献１】
昭６２−２４５１０号広報
【発明の開示】
【発明が解決しようとする課題】
【０００３】  これは、次のような問題があった。従来のアンテナは、導体棒、平行２線形給電線、同軸形給電線等の組み合わせが一般的であり、特に送信時に電波の抵抗を受け給電インピ−ダンスガ低下し効率的に、アンテナより電波を放射することに問題があった。
【課題を解決するための手段】
【０００４】  本発明（図２）において、導体棒（２）を中空導体（３）の中に挿入して、電気的接続部（４）に互いに固定したことを特徴とする。
本発明は以上のような構成によりなる中空導体折り返しアンテナである。【０００５】  また、本発明（図３）において、中空導体折り返しアンテナ（図２）の導体棒の一部をＵ形に折り曲げたことを特徴とする。
本発明は以上のような構成によりなる中空導体折り返しＵ形アンテナである。【０００６】  そして、本発明（図４）において、中空導体折り返しアンテナ（図２）を垂直にして上部のアンテナを１／４波長の放射器（ラジエタ−）として設け、下部のアンテナを１／４波長の鏡像側放射器（ラジアル）として、３〜４基を設けたことを特徴とする。
本発明は以上の構成によりなる中空導体折り返し無指向性アンテナである。【０００７】  また、本発明（図５）において、中空導体折り返しアンテナ（図２）を放射器として設け、右側に給電しない中空導体折り返しアンテナを１基または、１基以上の導波器として設け、左側に給電しない中空導体折り返しアンテナを１基または、１基以上の反射器として設けたことを特徴とする。
本発明は以上の構成によりなる中空導体折り返し八木アンテナである。【０００８】  そして、本発明（図６）において、中空導体折り返しアンテナ（図２）のアンテナ基部に外部端子（１０１）と（１０２）を設け、導体コイルを（１０１）に電気的に接続し、導体棒を（１０２）に電気的に接続をしたことを特徴とする。
本発明は以上の構成によりなる中空導体折り返しヘリカルアンテナである。【０００９】  また、本発明（図７）において、中空導体折り返しアンテナ（図２）のアンテナ基部に外部端子（１０１）と（１０２）を設け、中空導体折り返しＵ形アンテナ（図３）を外部端子（１０１）に導体線（６）を電気的に接続し、中空導体折り返しＵ形アンテナ（図３）の角度を水平または、垂直にを変えることを特徴とする。
本発明は以上の構成によりなる中空導体折り返し多周波アンテナである。
【発明の効果】
【００１０】  本発明の中空導体折り返しアンテナ（図２）は、導体棒と中空導体を組み合わせ抵抗の原理で、導体棒より抵抗の少ない中空導体に給電インピ−ダンスが低下せずに効率的に電波が放射され、従来のダイポ−ルアンテナよりもアンテナの前後に強い電波を放射し遠距離の通信に優れた効果を発揮し、指向性特性、送受信特性が向上した。【００１１】  また、導体棒の長さプラス中空導体の長さがアンテナの長さとなり、周波数の長さにもよるが１／２波長の長さのアンテナを約半分の長さに、また１波長の長さのアンテナを１／２波長の長さに短縮が可能となり、従来のダイポ−ルアンテナよりも、給電インピ−ダンスが低下せず、アンテナの短縮の効果を発揮しアンテナの小型化が可能となる。【００１２】  そして、本発明の中空導体折り返しＵ形アンテナ（図３）おいて、中空導体折り返しアンテナ（図２）の導体棒の一部をＵ形に曲げ、抵抗の原理で、導体棒より抵抗の少ない中空導体に給電インピ−ダンスが低下せずに電波が効率的に放射され、従来のＵ形アンテナにわない、一方向により鋭い電波を遠距離に放射することに優れ、指向性特性、送受信特性が向上し、アンテナの小型化が可能となる。【００１３】  また、本発明の中空導体折り返し無指向性アンテナ（図５）において、１／４波長の放射器（ラジエタ−）および、１／４波長の鏡像側放射器（ラジアル）として、アンテナ基部に３〜４基設け、抵抗の原理で導体棒より、抵抗の少ない中空導体に給電インピ−ダンスが低下せずに電波が放射され、従来の無指向性アンテナにわない鋭い電波が東西南北に放射され、障害物に対し、電波が反射し迂回する効果に優れ、近距離、遠距離の効果を発揮し、無指向性特性、送受信特性が向上し、アンテナの小型化が可能となる。【００１４】  そして、本発明の中空導体折り返し八木アンテナ（図５）において、中央の中空導体折り返しアンテナ（図２）を、放射器として、抵抗の原理で導体棒より、抵抗の少ない中空導体に給電インピ−ダンスが低下せずに電波が効率的に放射され、従来の八木アンテナよりも利得最大のエンドファイヤ−アレ−が左右の給電しない中空導体折り返しアンテナで実現し、一方向に鋭い電波が放射され、遠距離の通信に優れた効果を発揮し、指向性特性、送受信特性が向上し、アンテナの小型化が可能となる。【００１５】  また、本発明の中空導体折り返しヘリカルアンテナ（図６）において、アンテナ基部に外部端子（１０１）と（１０２）を設け、インピイダンスの値を調整することが可能となり、給電点の近接の外部端子に導体コイル（５）と導体棒（２）を電気的に接続することにより、波長の長いアンテナを給電ンピイダンスが低下せずに、効率的に短縮が可能となり、従来のダイポ−ルアンテナにない導体コイル（５）が無指向性の効果を発揮し、東西南北の受信が可能となり、近距離、遠距離の通信に優れた効果を発揮し、無指向性特性、指向性特性、送受信特性が向上し、アンテナの小型化を可能にした。【００１６】  また、本発明の中空導体折り返し多周波アンテナ（図７）において、アンテナ基部に外部端子（１０１）と（１０２）を設けることより、インピイダンスの値を低下せずに調整することが可能となり、中空導体折り返しＵ形アン���ナ（図３）を水平に角度を変えると一方向に鋭い指向性となり、垂直に角度を変えると無指向性に変わり、中空導体折り返しアンテナ（図２）は前方および、後方に放射特性を持つ指向性の異なるアンテナと組み合わせるこで、従来の多周波アンテナにない無指向性、指向性の弱点を補うことに優れ、近距離、遠距離の通信に優れた効果を発揮し、無指向性特性、指向性特性、送受信特性が向上し、アンテナの小型化を可能にした。
【発明を実施するための最良の形態】
【００１７】  以下、本発明の実施の形態として、一実施例を図面に基づいて説明をする。
図面２において、給電点（１）に接続している導体棒（２）の先端部にボルトが取り付けてあり、導体棒（２）を挿入する側の中空導体（３）底にボルトが通る穴が開いており、導体棒（２）を挿入したさいに、ボルトを外側より、ナットで電気的接続部に（４）に互いに固定。
本発明は、以上のような構造である。【００１８】  （図２）に示される実施例では、アンテナの前後に強い放射特性があり、遠距離の通信に優れ、相手の方向にアンテナの指向性の向きをかえる必要がある。【００１９】  また、本発明の中空導体折り返しＵ形アンテナ（図３）において、中空導体折り返しアンテナ（図２）を導体棒の一部をＵ形に折り曲げたアンテナである。
本発明は、以上のような構造である。【００２０】  （図３）に示される実施例では、一方向に鋭い指向性特性があり、遠距離で一方向の相手に対して有利であり、相手の方向に正確にアンテナを向ける必要がある。【００２１】  そして、本発明の中空導体折り返し無指向性アンテナ（図４）において、中空導体折り返しアンテナ（図２）を垂直にして、上部の中空導体折り返しアンテナを１／４波長の放射器（ラジエタ−）として使用し、下部の中空導体折り返しアンテナを１／４波長の鏡像側放射器（ラジアル）として、３基設けた場合は３方向に、また、４基設けた場合は４方向に傘を開くような形ちにアンテナ基部に取り付ける。
本発明は、以上のような構造である。【００２２】  （図４）に示される実施例では、東西南北の相手に対して、無指向性特性の効果を発揮し、近距離、遠距離の相手に対して有利なアンテナである。【００２３】  また、本発明の中空導体折り返し八木アンテナ（図５）において、中央の中空導体折り返しアンテナを放射器として、右側に給電しない中空導体折り返しアンテナを１基または１基以上を導波器として設け、左側に給電しない中空導体折り返しアンテナを１基または１基以上の反射器を設けた。
本発明は、以上のような構造である。【００２４】  （図５）に示される実施例では、一方向に鋭い利得最大のエンドファイアアレ−が右側の素子と左側の素子を給電しないで実現し、これを使用するきは、遠距離で一方向の相手に対して有利であり、相手の方向に正確にアンテナを向ける必要がある。【００２５】  そして、本発明の中空導体折り返しヘリカルアンテナ（図６）において、アンテナ基部に給電点と接続している外部端子（１０１）と導体棒と接続している外部端子（１０２）を設け、導体コイル（５）を外部端子（１０１）に電気的に接続し、導体棒（２）を外部端子（１０１）に電気的に接続をした。
本発明は、以上のような構造である。【００２６】  （図６）に示される実施例では、これを使用するきは、アンテナの前後に指向性特性があり、導体コイル（５）を組み合わせることで、東西南北の受信能力が向上し、相手の方向に指向性の向きを正確に変えることができ、遠距離、近距離の通信が可能である。【００２７】  また、本発明の中空導体折り返し多周波アンテナ（図７）において、アンテナ基部に給電点と接続している外部端子（１０１）と導体棒と接続している外部端子（１０２）を設け、中空導体折り返しＵ形アンテナ（図３）を外部端子（１０１）に電気的に接続、（図３）を水平、垂直にアンテナの角度を変えることを特徴とし、二つのアンテナを固定する場合は、中空導体折り返しＵ形アンテナ（図２）の外部端子の一部と（図３）の一部を絶縁体のパイプで上下のアンテナが接触しないように、ボルトとナット等で互いに固定。
本発明は、以上のような構造である。【００２８】  （図７）に示される実施例では、これを使用するきは、遠距離の通信は（図３）を水平にし一方向に鋭い指向性特性を優先し、垂直に角度を変えることで東西南北をカバ−できる無指向性特性となり、遠距離および、近距離の通信が可能である。
【図面の簡単な説明】
【００２９】
【図１】  本発明の中空導体折り返しアンテナの斜視図である。
【図２】  本発明の中空導体折り返しアンテナの断面図である。
【図３】  本発明の中空導体折り返しＵ型アンテナの断面図である。
【図４】  本発明の中空導体折り返し無指向性アンテナの断面図である。
【図５】  本発明の中空導体折り返し八木アンテナの断面図である。
【図６】  本発明の中空導体折り返しヘリカルアンテナの断面図である。
【図７】  本発明の中空導体折り返し２周波アンテナの断面図である。
【符号の説明】
【００３０】１      給電点
２      導体棒
３      中空導体
４      電気的接続部
６      導体線
１０１  給電点と接続している外部端子
１０２  導体棒と接続している外部端子
【図１】
2010154503.tif 000003
【図２】
2010154503.tif 000004
【図３】
2010154503.tif 000005
【図４】
2010154503.tif 000006
【図５】
2010154503.tif 000007
【図６】
2010154503.tif 000008
【図７】
2010154503.tif 000009